(57)【特許請求の範囲】
【請求項１】
次の条件、すなわち、システムビット誤り率が事前設定されたしきい値よりも高いこと、および光信号における信号対雑音比（ＳＮＲ）低下が発生するサブキャリアの量があらかじめ定められた数値域を超えることの条件のうちの少なくとも１つが満たされる場合、受信端により、調整中サブキャリアのＳＮＲに従って、前記調整中サブキャリアに対応する変調次数情報および電力情報を決定するステップであって、前記調整中サブキャリアは、ＳＮＲ低下が発生する前記サブキャリア内の少なくとも１つのサブキャリアである、ステップと、
前記受信端により、トリマー要求メッセージを送信端に送信するステップであって、前記トリマー要求メッセージは、前記調整中サブキャリアに対応する前記変調次数情報および前記電力情報を備える、ステップと、
前記受信端により、前記送信端によって送信された実効時点を受信するステップと、
前記受信端により、前記調整中サブキャリアに対応する復調次数を使用することによって前記実効時点においてサブキャリアを受信するステップであって、前記調整中サブキャリアに対応する前記復調次数は、前記調整中サブキャリアに対応する変調次数に対応する、ステップと
を備え、
前記実効時点は、前記送信端からのターゲットデータの送信が完了する時点であり、当該時点は、前記ターゲットデータのサイズに基づいて決定される
ことを特徴とする通信方法。
【請求項２】
前記トリマー要求メッセージは、前記調整中サブキャリアのサブキャリアインデックスと、前記調整中サブキャリアのサブキャリアインデックスに対応する変調次数情報および電力情報とを備え、
前記調整中サブキャリアの前記サブキャリアインデックスに対応する前記変調次数情報および前記電力情報は、ビットマッピングパラメータおよび電力割り振りパラメータを備え、
前記サブキャリアインデックスは、現行の調整中サブキャリアを指示するために使用され、前記ビットマッピングパラメータは、ビットとシンボルとの間の対応であり、前記現行の調整中サブキャリアに対応する変調次数を示すために使用され、前記電力割り振りパラメータは、前記現行の調整中サブキャリアによって使用される電力情報を示すために使用され、前記電力情報は、調整後の前記現行の調整中サブキャリアの送信電力であるか、または事前設定されている合計送信電力に対する調整後の前記現行の調整中サブキャリアの送信電力の比率であることを特徴とする請求項１に記載の方法。
【請求項３】
前記受信端により、前記送信端によって送信された実効時点を受信する前記ステップは、
前記受信端により、前記送信端によって送信されたトリマー応答メッセージを受信するステップであって、前記トリマー応答メッセージは、前記実効時点を備える、ステップを備えることを特徴とする請求項１または２に記載の方法。
【請求項４】
前記トリマー応答メッセージは、応答フラグビットをさらに備え、前記応答フラグビットは、前記送信端が、前記調整中サブキャリアに対応する前記変調次数情報および前記電力情報に従って前記調整中サブキャリアについて変調および電力割り振りを実行するかを指示するために使用されることを特徴とする請求項３に記載の方法。
【請求項５】
送信端により、受信端によって送信されたトリマー要求メッセージを受信するステップであって、前記トリマー要求メッセージは、調整中サブキャリアに対応する変調次数情報および電力情報を備える、ステップと、
前記送信端により、実効時点を決定して、前記実効時点を前記受信端に送信するステップと、
前記送信端により、前記調整中サブキャリアに対応する前記変調次数情報および前記電力情報に従って前記調整中サブキャリアに変調および電力割り振りを実行するステップと、
前記送信端により、変調および電力割り振り後にサブキャリアを前記実効時点において前記受信端に送信するステップと
を備え、
前記実効時点は、前記送信端からのターゲットデータの送信が完了する時点であり、当該時点は、前記ターゲットデータのサイズに基づいて決定される
ことを特徴とする通信方法。
【請求項６】
前記トリマー要求メッセージは、前記調整中サブキャリアのサブキャリアインデックスと、前記調整中サブキャリアの前記サブキャリアインデックスに対応する変調次数情報および電力情報とを備え、
前記調整中サブキャリアの前記サブキャリアインデックスに対応する前記変調次数情報および前記電力情報は、ビットマッピングパラメータおよび電力割り振りパラメータを備え、
前記サブキャリアインデックスは、現行の調整中サブキャリアを示すために使用され、前記ビットマッピングパラメータは、ビットとシンボルとの間の対応であり、前記現行の調整中サブキャリアに対応する変調次数を示すために使用され、前記電力割り振りパラメータは、前記現行の調整中サブキャリアによって使用される電力情報を示すために使用され、前記電力情報は、調整後の前記現行の調整中サブキャリアの送信電力であるか、または事前設定されている合計送信電力に対する調整後の前記現行の調整中サブキャリアの送信電力の比率であることを特徴とする請求項５に記載の方法。
【請求項７】
前記実効時点を前記受信端に送信する前記ステップは、
前記送信端により、トリマー応答メッセージを前記受信端に送信するステップであって、前記トリマー応答メッセージは、前記実効時点を備える、ステップを備えることを特徴とする請求項５または６に記載の方法。
【請求項８】
前記トリマー応答メッセージは、応答フラグビットをさらに備え、前記応答フラグビットは、前記送信端が、前記調整中サブキャリアに対応する前記変調次数情報および前記電力情報に従って前記調整中サブキャリアについて変調および電力割り振りを実行するかを指示するために使用されることを特徴とする請求項７に記載の方法。
【請求項９】
次の条件、すなわち、システムビット誤り率が事前設定されたしきい値よりも高いこと、および光信号における信号対雑音比（ＳＮＲ）低下が発生するサブキャリアの量があらかじめ定められた数値域を超えることの条件のうちの少なくとも１つが満たされる場合、調整中サブキャリアのＳＮＲに従って、前記調整中サブキャリアに対応する変調次数情報および電力情報を決定するように構成された決定ユニットであって、前記調整中サブキャリアは、ＳＮＲ低下が発生する前記サブキャリア内の少なくとも１つのサブキャリアである、決定ユニットと、
トリマー要求メッセージを送信端に送信するように構成された送信ユニットであって、前記トリマー要求メッセージは、前記調整中サブキャリアに対応する前記変調次数情報および前記電力情報を備える、送信ユニットと、
前記送信端によって送信された実効時点を受信するように構成された受信ユニットと
を備え、
前記受信ユニットは、前記調整中サブキャリアに対応する復調次数を使用することによって前記実効時点においてサブキャリアを受信するようにさらに構成され、前記調整中サブキャリアに対応する前記復調次数は、前記調整中サブキャリアに対応する変調次数に対応し、
前記実効時点は、前記送信端からのターゲットデータの送信が完了する時点であり、当該時点は、前記ターゲットデータのサイズに基づいて決定される
ことを特徴とする受信端。
【請求項１０】
前記トリマー要求メッセージは、前記調整中サブキャリアのサブキャリアインデックスと、前記調整中サブキャリアの前記サブキャリアインデックスに対応する変調次数情報および電力情報とを備え、
前記調整中サブキャリアの前記サブキャリアインデックスに対応する前記変調次数情報および前記電力情報は、ビットマッピングパラメータおよび電力割り振りパラメータを備え、
前記サブキャリアインデックスは、現行の調整中サブキャリアを示すために使用され、前記ビットマッピングパラメータは、ビットとシンボルとの間の対応であり、前記現行の調整中サブキャリアに対応する変調次数を示すために使用され、前記電力割り振りパラメータは、前記現行の調整中サブキャリアによって使用される電力情報を示すために使用され、前記電力情報は、調整後の前記現行の調整中サブキャリアの送信電力であるか、または事前設定されている合計送信電力に対する調整後の前記現行の調整中サブキャリアの送信電力の比率であることを特徴とする請求項９に記載の受信端。
【請求項１１】
前記受信ユニットは、前記送信端によって送信されたトリマー応答メッセージを受信するように特に構成され、前記トリマー応答メッセージは前記実効時点を備えることを特徴とする請求項９または１０に記載の受信端。
【請求項１２】
前記トリマー応答メッセージは、応答フラグビットをさらに備え、前記応答フラグビットは、前記送信端が、前記調整中サブキャリアに対応する前記変調次数情報および前記電力情報に従って前記調整中サブキャリアに変調および電力割り振りを実行するかを指示するために使用されることを特徴とする請求項１１に記載の受信端。
【請求項１３】
受信端によって送信されたトリマー要求メッセージを受信するように構成された受信ユニットであって、前記トリマー要求メッセージは、調整中サブキャリアに対応する変調次数情報および電力情報を備える、受信ユニットと、
実効時点を決定するように構成された決定ユニットと、
前記決定ユニットによって決定された前記実効時点を前記受信端に送信するように構成された送信ユニットと、
前記調整中サブキャリアに対応する前記変調次数情報および前記電力情報に従って前記調整中サブキャリアに変調および電力割り振りを実行するように構成された変調および電力割り振りユニットと
を備え、
前記送信ユニットは、変調および電力割り振り後にサブキャリアを前記実効時点において前記受信端に送信するようにさらに構成され、
前記決定ユニットは、前記実効時点として、ターゲットデータの送信が前記ターゲットデータのサイズに基づいて完了する時点を決定するように構成される
ことを特徴とする送信端。
【請求項１４】
前記トリマー要求メッセージは、前記調整中サブキャリアのサブキャリアインデックスと、前記調整中サブキャリアの前記サブキャリアインデックスに対応する変調次数情報および電力情報とを備え、
前記調整中サブキャリアの前記サブキャリアインデックスに対応する前記変調次数情報および前記電力情報は、ビットマッピングパラメータおよび電力割り振りパラメータを備え、
前記サブキャリアインデックスは、現行の調整中サブキャリアを指示するために使用され、前記ビットマッピングパラメータは、ビットとシンボルとの間の対応であり、前記現行の調整中サブキャリアに対応する変調次数を示すために使用され、電力割り振りパラメータは、現行の調整中サブキャリアによって使用される電力情報を示すために使用され、前記電力情報は、調整後の前記現行調整中サブキャリアの送信電力であるか、または事前設定されている合計送信電力に対する調整後の前記現行の調整中サブキャリアの送信電力の比率であることを特徴とする請求項１３に記載の送信端。
【請求項１５】
前記送信ユニットは、トリマー応答メッセージを前記受信端に送信するように特に構成され、前記トリマー応答メッセージは前記実効時点を備えることを特徴とする請求項１３または１４に記載の送信端。
【請求項１６】
前記トリマー応答メッセージは、応答フラグビットをさらに備え、前記応答フラグビットは、前記送信端が、前記調整中サブキャリアに対応する前記変調次数情報および前記電力情報に従って前記調整中サブキャリアに変調および電力割り振りを実行するかを指示するために使用されることを特徴とする請求項１５に記載の送信端。
【請求項１７】
受信端および送信端を備え、
前記受信端は、請求項９乃至１２のいずれか一項に記載の受信端であり、前記送信端は、請求項１３乃至１６のいずれか一項に記載の送信端であることを特徴とする光直交周波数分割多重（ＯＦＤＭ）システム。
【発明の詳細な説明】
【技術分野】
【０００１】
本発明は、通信技術の分野に関し、特に、通信方法、送信端、受信端、およびシステムに関する。
【背景技術】
【０００２】
直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）は、マルチキャリア変調技術である。ＯＦＤＭ技術において、データは、周波数領域において複数の相互に直交のサブキャリアを使用することによって送信される。
【０００３】
図１に示されるように、光ＯＦＤＭシステムは、送信端、送信チャネル、および受信端を含む。通常の場合、光ＯＦＤＭシステム内のデータビットが、送信チャネルを通じて送信端から受信端に送信されるプロセスは、以下のとおりである。
【０００４】
送信端において、ｎサブキャリアに割り振られるデータビットを取得するために、直列−並列変換がデータビットに実行される。変調および電力割り振りの段階において、各サブキャリア上のデータビットは、以下の変調パラメータ表１０１に従ってシンボルに変調され（ここで、電力割り振り率は、サブキャリアに割り振られる電力の合計送信電力に対する比率を示す）、次いでシンボルはサブキャリア上で搬送される。変調が完了した後、すべてのサブキャリア上のシンボルは、逆高速フーリエ変換（Ｉｎｖｅｒｓｅ  Ｆａｓｔ  Ｆｏｕｒｉｅｒ  Ｔｒａｎｓｆｏｒｍａｔｉｏｎ、ＩＦＦＴ）を通じて時間領域電気信号に変換され、時間領域電気信号は、電気−光変換を通じて光信号に変換され、光信号は、送信チャネルを通じて受信端に送信される。
【０００５】
【表１】
0006262817.tif 000002
【０００６】
受信端において、受信された光信号は、光−電気変換を通じて時間領域信号に変換され、ｎサブキャリア上のシンボルは、高速フーリエ変換（Ｆａｓｔ  Ｆｏｕｒｉｅｒ  Ｔｒａｎｓｆｏｒｍａｔｉｏｎ、ＦＦＴ）を通じて取得され、次いで、復調は、ｎサブキャリア上のデータビットを取得するために変調パラメータ表１０１に従って、ｎサブキャリア上のシンボルに実行され、最終的に、並列−直列変換を通じてシリアルデータビットが出力される。
【０００７】
前述の変調パラメータ表１０１を生成するプロセス、すなわち、送信端が検出波を送信し、受信端が、検出波に従って各サブキャリアの信号対雑音比（Ｓｉｇｎａｌ  ｔｏ  Ｎｏｉｓｅ  Ｒａｔｉｏ、ＳＮＲ）を計算して、以下のＳＮＲ表１０２を生成し、次いで、各サブキャリアの変調次数および電力情報（表１において、電力情報の例は電力割り振り方法）は、変調パラメータ表１０１を取得するために、表１０２の各サブキャリアのＳＮＲに従って計算を通じて取得されてもよい。受信端は、取得された変調パラメータ表１０１を送信端に送信し、ここで変調次数はビットとシンボルとの間のマッピング関係に対応し、たとえば、４相位相偏移キーイング（Ｑｕａｄｒａｔｕｒｅ  Ｐｈａｓｅ  Ｓｈｉｆｔ  Ｋｅｙｉｎｇ、ＱＰＳＫ）変調の場合、１つの変調符号表は４つの異なる位相シンボルを含み、各シンボルはｌｏｇ2（４）＝２ビットの情報を送信し得、これは２次変調に対応する、したがって、ビットとシンボルとの間のマッピング関係はまた、対応する変調次数を指示するために使用されてもよく、変調パラメータ表１０１の変調次数および電力情報が、各サブキャリアのＳＮＲに従って計算を通じて受信端によって取得されるので、変調次数および電力情報に従って送信端において実行される調整は、システムパフォーマンスを高めることができる。
【０００８】
【表２】
0006262817.tif 000003
【０００９】
図２に示されるように、光ＯＦＤＭシステムがデータを送信する場合、データを送信する光信号は、送信チャネル内の同じ周波数の雑音の干渉により変形するおそれがあり、狭帯域干渉が発生する場合、低周波数のサブキャリアのＳＮＲが低下し、この低下がシステムパフォーマンスの低下を引き起こす。
【００１０】
通常の場合、送信端によって送信される光信号は、前方誤り訂正（Ｆｏｒｗａｒｄ  Ｅｒｒｏｒ  Ｃｏｒｒｅｃｔｉｏｎ、ＦＥＣ）符号を含み、前方誤り訂正符号は、送信端および受信端によって知られている。したがって、受信端は、受信された光信号に従って光ＯＦＤＭシステムのビット誤り率（Ｂｉｔ  Ｅｒｒｏｒ  Ｒａｔｅ、ＢＥＲ）を計算し得、ここでＢＥＲは、システムパフォーマンスを反映するための重要な指標であり、より高いＢＥＲはより劣るシステムパフォーマンスを示し、より低いＢＥＲはより優れたシステムパフォーマンスを示す。
【００１１】
現在、光ＯＦＤＭシステムのデータ送信プロセスにおいて、ビット誤り率が比較的高いか、または送信端によって送信される光信号においてＳＮＲ低下が生じるサブキャリアの量が比較的大きい場合、システムパフォーマンスが深刻な影響を受けている。
【発明の概要】
【課題を解決するための手段】
【００１２】
本発明の実施形態は、通信方法、送信端、受信端、およびシステムを提供し、光送信信号のサブキャリアにおいて低下が発生するサブキャリアに対応する変調次数情報および電力情報は、トリマー要求メッセージを使用することによって調整され、それによりシステムパフォーマンスを高める。
【００１３】
本発明の実施形態の第１の態様は、通信方法を提供し、
次の条件、すなわち、システムビット誤り率が事前設定されたしきい値よりも高いこと、および光信号においてＳＮＲ低下が発生するサブキャリアの量があらかじめ定められた数値域を超えることの条件のうちの少なくとも１つが満たされる場合、受信端により、調整中サブキャリアのＳＮＲに従って、調整中サブキャリアに対応する変調次数情報および電力情報を決定するステップであって、調整中サブキャリアは、ＳＮＲ低下が発生するサブキャリア内の少なくとも１つのサブキャリアであるステップと、
受信端により、トリマー要求メッセージを送信端に送信するステップであって、トリマー要求メッセージは、調整中サブキャリアに対応する変調次数情報および電力情報を含む、ステップと、
受信端により、送信端によって送信された実効時点を受信するステップと、
受信端により、調整中サブキャリアに対応する復調次数を使用することによって実効時点においてサブキャリアを受信するステップであって、調整中サブキャリアに対応する復調次数は、調整中サブキャリアに対応する変調次数に対応する、ステップとを含む。
【００１４】
本発明の実施形態の第１の態様を参照して、本発明の実施形態の第１の態様の第１の可能な実施手順において、
トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを示すために使用され、ビットマッピングパラメータは、ビットとシンボルとの間の対応であり、現行の調整中サブキャリアに対応する変調次数を示すために使用され、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【００１５】
本発明の実施形態の第１の態様または第１の態様の第１の可能な実施手順を参照して、本発明の実施形態の第１の態様の第２の可能な実施手順において、
受信端により、送信端によって送信された実効時点を受信するステップは、
受信端により、送信端によって送信されたトリマー応答メッセージを受信するステップであって、トリマー応答メッセージは実効時点を含む、ステップを含む。
【００１６】
本発明の実施形態の第１の態様の第２の可能な実施手順を参照して、本発明の実施形態の第１の態様の第３の可能な実施手順において、
トリマー応答メッセージは、応答フラグビットをさらに含み、応答フラグビットは、送信端が、調整中サブキャリアに対応する変調次数情報および電力情報に従って調整中サブキャリアに変調および電力割り振りを実行するかを指示するために使用される。
【００１７】
本発明の実施形態の第２の態様は、通信方法を提供し、
送信端により、受信端によって送信されたトリマー要求メッセージを受信するステップであって、トリマー要求メッセージは、調整中サブキャリアに対応する変調次数情報および電力情報を含むステップと、
送信端により、実効時点を決定して、実効時点を受信端に送信するステップと、
送信端により、調整中サブキャリアに対応する変調次数情報および電力情報に従って調整中サブキャリアに変調および電力割り振りを実行するステップと、
送信端により、変調および電力割り振り後にサブキャリアを実効時点において受信端に送信するステップとを含む。
【００１８】
本発明の実施形態の第２の態様を参照して、本発明の実施形態の第２の態様の第１の可能な実施手順において、
トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを示すために使用され、ビットマッピングパラメータは、ビットとシンボルとの間の対応であり、現行の調整中サブキャリアに対応する変調次数を指示するために使用され、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【００１９】
本発明の実施形態の第２の態様または第２の態様の第１の可能な実施手順を参照して、本発明の実施形態の第２の態様の第２の可能な実施手順において、
送信端により、実効時点を決定するステップは、
送信端により、事前設定済み実効時点計算ルールに従って実効時点を決定するステップであって、
事前設定済み実効時点計算ルールは、
実効時点として、トリマー応答メッセージを送信する現時点の後の事前設定済み期間である時点を決定するか、または送信端の現行の送信中ターゲットデータに必要とされる事前取得済みのターゲット期間に従って、実効時点として、トリマー応答メッセージを送信する現時点の後のターゲット期間である時点を決定することである、ステップを含む。
【００２０】
本発明の実施形態の第２の態様、または第２の態様の第１の可能な実施手順、または第２の態様の第２の可能な実施手順を参照して、本発明の実施形態の第２の態様の第３の可能な実施手順において、
実効時点を受信端に送信するステップは、
送信端により、トリマー応答メッセージを受信端に送信するステップであって、トリマー応答メッセージは実効時点を含むステップを含む。
【００２１】
本発明の実施形態の第２の態様の第３の可能な実施手順を参照して、本発明の実施形態の第２の態様の第４の可能な実施手順において、
トリマー応答メッセージは、応答フラグビットをさらに含み、応答フラグビットは、送信端が、調整中サブキャリアに対応する変調次数情報および電力情報に従って調整中サブキャリアに変調および電力割り振りを実行するかを指示するために使用される。
【００２２】
本発明の実施形態の第３の態様は、受信端を提供し、
次の条件、すなわち、システムビット誤り率が事前設定されたしきい値よりも高いこと、および光信号においてＳＮＲ低下が発生するサブキャリアの量があらかじめ定められた数値域を超えることの条件のうちの少なくとも１つが満たされる場合、調整中サブキャリアのＳＮＲに従って、調整中サブキャリアに対応する変調次数情報および電力情報を決定するように構成された決定ユニットであって、調整中サブキャリアは、ＳＮＲ低下が発生するサブキャリア内の少なくとも１つのサブキャリアである、決定ユニットと、
トリマー要求メッセージを送信端に送信するように構成された送信ユニットであって、トリマー要求メッセージは、調整中サブキャリアに対応する変調次数情報および電力情報を含む送信ユニットと、
送信端によって送信された実効時点を受信するように構成された受信ユニットとを含み、
受信ユニットは、調整中サブキャリアに対応する復調次数を使用することによって実効時点においてサブキャリアを受信するようにさらに構成され、調整中サブキャリアに対応する復調次数は、調整中サブキャリアに対応する変調次数に対応する。
【００２３】
本発明の実施形態の第３の態様を参照して、本発明の実施形態の第３の態様の第１の可能な実施手順において、
トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを示すために使用され、ビットマッピングパラメータは、ビットとシンボルとの間の対応であり、現行の調整中サブキャリアに対応する変調次数を示すために使用され、電力割り振りパラメータは、現行の調整中サブキャリアによって使用される電力情報を指示するために使用されて、電力情報は、調整後の現行の調整中サブキャリアの送信電力であるか、または事前設定されている合計送信電力に対する調整後の現行の調整中サブキャリアの送信電力の比率である。
【００２４】
本発明の実施形態の第３の態様または第３の態様の第１の可能な実施手順を参照して、本発明の実施形態の第３の態様の第２の可能な実施手順において、
受信ユニットは、送信端によって送信されたトリマー応答メッセージを受信するように特に構成され、トリマー応答メッセージは実効時点を含む。
【００２５】
本発明の実施形態の第３の態様の第２の可能な実施手順を参照して、本発明の実施形態の第３の態様の第３の可能な実施手順において、
トリマー応答メッセージは、応答フラグビットをさらに含み、応答フラグビットは、送信端が、調整中サブキャリアに対応する変調次数情報および電力情報に従って調整中サブキャリアに変調および電力割り振りを実行するかを指示するために使用される。
【００２６】
本発明の実施形態の第４の態様は、送信端を提供し、
受信端によって送信されたトリマー要求メッセージを受信するように構成された受信ユニットであって、トリマー要求メッセージは、調整中サブキャリアに対応する変調次数情報および電力情報を含む受信ユニットと、
実効時点を決定するように構成された決定ユニットと、
決定ユニットによって決定された実効時点を受信端に送信するように構成された送信ユニットと、
調整中サブキャリアに対応する変調次数情報および電力情報に従って調整中サブキャリアに変調および電力割り振りを実行するように構成された変調および電力割り振りユニットとを含み、
送信ユニットは、変調および電力割り振り後にサブキャリアを実効時点において受信端に送信するようにさらに構成される。
【００２７】
本発明の実施形態の第４の態様を参照して、本発明の実施形態の第４の態様の第１の可能な実施手順において、
トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを指示するために使用され、ビットマッピングパラメータは、ビットとシンボルとの間の対応であり、現行の調整中サブキャリアに対応する変調次数を示すために使用され、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【００２８】
本発明の実施形態の第４の態様または第４の態様の第１の可能な実施手順を参照して、本発明の実施形態の第４の態様の第２の可能な実施手順において、
決定ユニットは、事前設定済み実効時点計算ルールに従って実効時点を決定するように特に構成され、
事前設定済み実効時点計算ルールは、
実効時点として、トリマー応答メッセージを送信する現時点の後の事前設定済み期間である時点を決定するか、または送信端の現行の送信中ターゲットデータに必要とされる事前取得済みのターゲット期間に従って、実効時点として、トリマー応答メッセージを送信する現時点の後のターゲット期間である時点を決定することである。
【００２９】
本発明の実施形態の第４の態様、または第４の態様の第１の可能な実施手順、または第４の態様の第２の可能な実施手順を参照して、本発明の実施形態の第４の態様の第３の可能な実施手順において、
送信ユニットは、トリマー応答メッセージを受信端に送信するように特に構成され、トリマー応答メッセージは実効時点を含む。
【００３０】
本発明の実施形態の第４の態様の第３の可能な実施手順を参照して、本発明の実施形態の第４の態様の第４の可能な実施手順において、
トリマー応答メッセージは、応答フラグビットをさらに含み、応答フラグビットは、送信端が、調整中サブキャリアに対応する変調次数情報および電力情報に従って調整中サブキャリアに変調および電力割り振りを実行するかを指示するために使用される。
【００３１】
本発明の実施形態の第５の態様は、受信端および送信端を含むＯＦＤＭシステムを提供し、
受信端は、第３の態様の任意の１つによる受信端であり、送信端は、第４の態様の任意の１つによる送信端である。
【００３２】
前述の技術的解決策から、本発明の実施形態が以下の利点を有することが理解され得る。
【００３３】
本発明の実施形態において、システムビット誤り率が事前設定されたしきい値よりも高いこと、および光信号においてＳＮＲ低下が発生するサブキャリアの量があらかじめ定められた数値域を超えることの条件のうちの少なくとも１つが満たされる場合、受信端はトリマー要求メッセージを送信端に送信し、トリマー要求メッセージは、調整中サブキャリアに対応する変調次数情報および電力情報を含み、送信端は、実効時点を受信端に送信して、調整中サブキャリアに対応する変調次数情報および電力情報に従って実効時点において調整中サブキャリアに変調および電力割り振りを実行し、変調および電力割り振り後にサブキャリアを受信端に送信する。本発明の実施形態において、トリマー要求メッセージで、調整中サブキャリアは、ＳＮＲ低下が発生するサブキャリア内の少なくとも１つのサブキャリアであり、調整中サブキャリアの識別子に対応する変調次数情報および電力情報は、調整中サブキャリアのＳＮＲに従って計算を通じて受信端によって取得されるので、光送信信号のサブキャリアにおいて低下が発生するサブキャリアに対応する変調次数情報および電力情報は、トリマー要求メッセージを使用することによって調整され、それによりシステムパフォーマンスを高める。
【図面の簡単な説明】
【００３４】
【図１】光ＯＦＤＭシステムの実施形態の概略図である。
【図２】サブキャリアの、検出波を使用することによって計算を通じて取得されるＳＮＲの概略図である。
【図３】本発明の実施形態による通信方法の実施形態の概略図である。
【図３−１】本発明の実施形態によるトリマー要求メッセージの実施形態の概略図である。
【図３−２】本発明の実施形態によるトリマー応答メッセージの実施形態の概略図である。
【図４】本発明の実施形態による通信方法の別の実施形態の概略図である。
【図５】本発明の実施形態による通信方法の別の実施形態の概略図である。
【図６】本発明の実施形態による送信端の実施形態の概略図である。
【図７】本発明の実施形態による送信端の別の実施形態の概略図である。
【図８】本発明の実施形態による受信端の実施形態の概略図である。
【図９】本発明の実施形態による受信端の別の実施形態の概略図である。
【発明を実施するための形態】
【００３５】
本発明の実施形態は、通信方法、送信端、受信端、およびシステムを提供し、光送信信号のサブキャリアにおいて、低下が発生するサブキャリアに対応する変調次数情報および電力情報は、トリマー要求メッセージを使用することによって調整され、それによりシステムパフォーマンスを高める。
【００３６】
当業者が、本発明の技術的解決策をより深く理解できるようにするため、以下では、本発明の実施形態の添付の図面を参照して、本発明の実施形態における技術的解決策を明確および完全に説明する。明らかに、説明される実施形態は、本発明の実施形態の一部に過ぎず、実施形態の全体ではない。創造的な取り組みを伴うことなく、本発明の実施形態に基づいて当業者によって得られる他のすべての実施形態は、本発明の保護範囲に含まれるものとする。
【００３７】
本発明の明細書、特許請求の範囲、および添付の図面において、「第１の」、「第２の」、および、同様のもの（ある場合）は、類似する対象物を区別することが意図されており、必ずしも特定の順序または配列を示すものではない。そのような方法で称されるデータは、本明細書において説明される本発明の実施形態が、本明細書において例示または説明される順序以外の順序で実施することができるように、適正な状況において置き換え可能であることを理解されたい。さらに、用語「含む（ｉｎｃｌｕｄｅ）」、「含有する（ｃｏｎｔａｉｎ）」、および他の任意の変形は、非排他的な包含を網羅することを意味し、たとえば、ステップまたはユニットのリストを含むプロセス、方法、システム、製品、またはデバイスは、必ずしもそれらのステップまたはユニットに限定されることはなく、明示的にリストされていないか、またはそのようなプロセス、方法、システム、製品、もしくはデバイスに固有の他のステップまたはユニットを含むことがある。
【００３８】
本発明の実施形態の理解を助けるために、最初に、本発明の実施形態の説明で紹介されるいくつかの要素が、本明細書において説明する。
【００３９】
ＳＮＲはまた、信号雑音比とも称され、電子デバイスまたは電子システムにおける信号対雑音の比率を示す。本明細書において信号は、外部デバイスからもたらされ、このデバイスによって処理される必要のある電子信号を示し、雑音は、このデバイスの処理後に得られた原信号には存在しない不規則的な特殊信号（または情報）を示し、この信号は原信号が変化するようには変化しない。
【００４０】
ビット誤り率（Ｂｉｔ  Ｅｒｒｏｒ  Ｒａｔｅ、ＢＥＲ）は、指定された時間内のデータのデータ送信精度を測定するために使用される指標である。一般的には、ビット誤り率＝送信中のビット誤りの量／送信済みビットの合計量＊１００％である。
【００４１】
前方誤り訂正は、エラー制御方法であり、信号が送信チャネルに送信される前に、信号が特定のアルゴリズムに従ってあらかじめ符号化されて、信号の特徴を有する冗長符号が追加され、受信端において、受信された信号は、対応するアルゴリズムに従って復号され、送信中に生成された誤り符号が検出されて訂正される技術を示す。
【００４２】
本発明の実施形態における通信方法の実施形態は、下記で説明する。
【００４３】
図３を参照すると、本発明の実施形態における通信方法の実施形態は、以下のステップを含む。
【００４４】
３０１：システムビット誤り率が事前設定されたしきい値よりも高いこと、および光信号において、ＳＮＲ低下が発生するサブキャリアの量があらかじめ定められた数値域を超えること、という条件のうちの少なくとも１つが満たされる場合、受信端は、調整中サブキャリアのＳＮＲに従って、調整中サブキャリアに対応する変調次数情報および電力情報を決定する。
【００４５】
調整中サブキャリアは、ＳＮＲ低下が発生するサブキャリア内の少なくとも１つのサブキャリアである。
【００４６】
通常の場合、送信端によって送信される光信号は、事前設定された検出波および前方誤り訂正（Ｆｏｒｗａｒｄ  Ｅｒｒｏｒ  Ｃｏｒｒｅｃｔｉｏｎ、ＦＥＣ）符号を搬送する。事前設定された検出波および前方誤り訂正符号は、送信端および受信端によって知られており、受信端は、受信された光信号内の前方誤り訂正符号に従ってシステムビット誤り率を計算することがある。
【００４７】
一方、受信端は、事前設定された検出波に従って、受信された光信号のサブキャリアのＳＮＲを検出することがあり、受信端は、各サブキャリアの取得されたＳＮＲに従って、各サブキャリアの変調次数情報および電力情報を再計算する。この実施形態において、システムビット誤り率が事前設定されたしきい値よりも高いこと、および光信号の、ＳＮＲ低下が発生するサブキャリアの量があらかじめ定められた数値域を超えること、という条件のうちの少なくとも１つが満たされる場合、受信端は、調整中サブキャリアのＳＮＲに従って、調整中サブキャリアに対応する変調次数情報および電力情報を決定し、調整中サブキャリアは、ＳＮＲ低下が発生するサブキャリア内の少なくとも１つのサブキャリアである。本発明のこの実施形態において言及されるサブキャリアが、送信端によって受信端に送信される光信号のサブキャリアであることに留意されたい。
【００４８】
３０２：受信端は、トリマー要求メッセージを送信端に送信する。
【００４９】
システムビット誤り率が事前設定されたしきい値よりも高いこと、および光信号において、ＳＮＲ低下が発生するサブキャリアの量があらかじめ定められた数値域を超えること、という条件のうちの少なくとも１つが満たされる場合、受信端はトリマー要求メッセージを送信端に送信し、受信端は、送信端によって送信されたトリマー応答メッセージを受信し、トリマー要求メッセージは、調整中サブキャリアに対応する変調次数情報および電力情報を含む。
【００５０】
特に、トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを示すために使用され、ビットマッピングパラメータは、ビットとシンボルとの間の対応であり、現行の調整中サブキャリアに対応する変調次数を示すために使用され、たとえば、ビットとシンボルとの間の対応は、各シンボルが２ビットの情報に対応する、つまり２次数変調に対応することであり、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【００５１】
本発明のこの実施形態におけるトリマー要求メッセージの実施形態は、図３−１に示され、ここでトリマー要求メッセージ１００は、量ｎの調整中サブキャリアおよび各調整中サブキャリアに対応する調整パラメータを含むことがある。特に、トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを示すために使用され、ビットマッピングパラメータは、ビットとシンボルとの間の対応であり、現行の調整中サブキャリアに対応する変調次数を示すために使用され、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【００５２】
３０３：送信端は、実効時点を決定する。
【００５３】
受信端によって送信された前述のトリマー要求メッセージを受信した後、送信端は、実効時点を決定して、実効時点を受信端に送信する。受信端は、送信端によって送信された実効時点を受信する。
【００５４】
実効時点は、事前設定済み実効時点計算ルールに従って、送信端によって決定されてもよい。事前設定済み実効時点計算ルールは、実効時点としてトリマー応答メッセージを送信する現時点の後の事前設定済み期間である時点を決定することであってもよい。たとえば、事前設定済み期間は１０分であり、実効時点は、トリマー応答メッセージを送信する現時点の１０分後の時点である。事前設定済み実効時点計算ルールはまた、送信端の現行の送信中ターゲットデータに必要とされる事前取得済みのターゲット期間に従って、実効時点として、トリマー応答メッセージを送信する現時点の後のターゲット期間である時点を決定することであってもよい。たとえば、送信端が、データのセットの１つの部分を受信端に送信して、ターゲットデータの他の部分は送信されず、送信端が、ターゲットデータのサイズに従って、現行の送信中ターゲットデータに必要とされる期間を決定してもよく、したがって、実効時点として、ターゲットデータの送信が完了される時点を決定するようにしてよい。このようにして、送信端は、データのセットが送信された後に変調次数情報および電力情報を調整し、これによりデータ送信の中断を回避することができる。
【００５５】
３０４：送信端は、実効時点を受信端に送信する。
【００５６】
相応して、受信端は、送信端によって送信された実効時点を受信する。
【００５７】
実効時点を受信端に送信するステップは、送信端により、トリマー応答メッセージを受信端に送信するステップであって、トリマー応答メッセージは実効時点を含むステップを含むことがある。この場合、受信端により、送信端によって送信された実効時点を受信するステップは、受信端により、送信端によって送信されたトリマー応答メッセージを受信するステップを含む。
【００５８】
本発明の一部の実施形態において、トリマー応答メッセージは、メッセージヘッダインジケータおよび実効時点を含むことがあり、メッセージヘッダインジケータは、現行メッセージがトリマー応答メッセージであることを指示するために使用される。
【００５９】
図３−２に示されるように、本発明の一部の他の実施形態において、メッセージヘッダインジケータおよび実効時点に加えて、トリマー応答メッセージ２００は、応答フラグビットをさらに含むことがあり、応答フラグビットは、送信端が、調整中サブキャリアに対応する変調次数情報および電力情報に従って調整中サブキャリアに変調および電力割り振りを実行するかを指示するために使用される。
【００６０】
応答フラグビットは、トリミングが実行されることを指示するように固定して（１のような）数値であってもよい。たとえば、応答フラグビットが固定して１である場合、これはトリミングが実行されることを固定して指示する。本発明の一部の他の実施形態において、応答フラグビットは固定されなくてもよく、たとえば、応答フラグビットが０である場合に、送信端が、調整中サブキャリアに対応する変調次数情報および電力情報に従って調整中サブキャリアに変調および電力割り振りを実行しないよう指示され、応答フラグビットが１である場合、送信端は、調整中サブキャリアに対応する変調次数情報および電力情報に従って調整中サブキャリアに変調および電力割り振りを実行するよう指示されることが設定される。
【００６１】
３０５：送信端は、調整中サブキャリアに対応する変調次数情報および電力情報に従って調整中サブキャリアに変調および電力割り振りを実行する。
【００６２】
送信端が、光送信信号のサブキャリアに変調および電力割り振りを実行する場合、対応する変調次数情報および電力情報があり、したがって、送信端は、調整中サブキャリアに対応する変調次数情報および電力情報に従って調整中サブキャリアに変調および電力割り振りを実行することがあり、以前の変調次数情報および電力情報は、光送信信号の他のサブキャリアに対応する変調次数情報および電力情報のために残されてもよい。
【００６３】
３０６：送信端は、変調および電力割り振り後にサブキャリアを実効時点において受信端に送信する。
【００６４】
送信端によって送信された実効時点を受信した後、受信端は、調整中サブキャリアに対応する復調次数を使用することによってサブキャリアを受信し、調整中サブキャリアに対応する復調次数は、調整中サブキャリアに対応する変調次数に対応する。
【００６５】
本発明のこの実施形態において、システムビット誤り率が事前設定されたしきい値よりも高いこと、および光信号において、ＳＮＲ低下が発生するサブキャリアの量があらかじめ定められた数値域を超えること、という条件のうちの少なくとも１つが満たされる場合、受信端はトリマー要求メッセージを送信端に送信し、トリマー要求メッセージは、調整中サブキャリアに対応する変調次数情報および電力情報を含み、送信端は、実効時点を受信端に送信して、調整中サブキャリアに対応する変調次数情報および電力情報に従って実効時点において調整中サブキャリアに変調および電力割り振りを実行し、変調および電力割り振り後にサブキャリアを受信端に送信する。本発明のこの実施形態において、トリマー要求メッセージでは、調整中サブキャリアはＳＮＲ低下が発生するサブキャリアのうちの少なくとも１つのサブキャリアであり、調整中サブキャリアの識別子に対応する変調次数情報および電力情報は、調整中サブキャリアのＳＮＲに従って計算を通じて受信端によって取得されるので、光送信信号のサブキャリアの、低下が発生するサブキャリアに対応する変調次数情報および電力情報は、トリマー要求メッセージを使用することによって調整され、それによりシステムパフォーマンスを高める。
【００６６】
受信端と送信端との間の対話を通じた通信の方法の実施形態は、上記で説明されており、受信端側での通信方法の実施形態は、下記で説明する。図４を参照すると、本発明の実施形態の通信方法のもう１つの実施形態は、以下のステップを含む。
【００６７】
４０１：システムビット誤り率が事前設定されたしきい値よりも高いこと、および光信号において、ＳＮＲ低下が発生するサブキャリアの量があらかじめ定められた数値域を超えること、という条件のうちの少なくとも１つが満たされる場合、受信端は、調整中サブキャリアのＳＮＲに従って、調整中サブキャリアに対応する変調次数情報および電力情報を決定する。
【００６８】
調整中サブキャリアは、ＳＮＲ低下が発生するサブキャリア内の少なくとも１つのサブキャリアである。
【００６９】
４０２：受信端は、トリマー要求メッセージを送信端に送信する。
【００７０】
トリマー要求メッセージは、調整中サブキャリアに対応する変調次数情報および電力情報を含む。トリマー要求メッセージについては、図３に示される実施形態におけるトリマー要求メッセージの説明が参照されてもよく、詳細については、本明細書において再度説明しない。
【００７１】
４０３：受信端は、送信端によって送信された実効時点を受信する。
【００７２】
実効時点は、事前設定済み実効時点計算ルールに従って、送信端によって決定されてもよい。事前設定された実効時点計算ルールについてもまた、図３に示される実施形態が参照されてもよく、詳細については、本明細書において再度説明しない。
【００７３】
４０４：受信端は、調整中サブキャリアに対応する復調次数を使用することによって実効時点においてサブキャリアを受信する。
【００７４】
調整中サブキャリアに対応する復調次数は、調整中サブキャリアに対応する変調次数に対応する。
【００７５】
本発明のこの実施形態において、システムビット誤り率が事前設定されたしきい値よりも高いこと、および光信号において、ＳＮＲ低下が発生するサブキャリアの量があらかじめ定められた数値域を超えること、という条件のうちの少なくとも１つが満たされる場合、受信端は、調整中サブキャリアのＳＮＲに従って、調整中サブキャリアに対応する変調次数情報および電力情報を決定し、トリマー要求メッセージを送信端に送信し、トリマー要求メッセージは、調整中サブキャリアに対応する変調次数情報および電力情報を含み、受信端は、送信端によって送信された実効時点を受信し、調整中サブキャリアに対応する復調次数を使用することによって実効時点においてサブキャリアを受信する。本発明のこの実施形態において、トリマー要求メッセージでは、調整中サブキャリアはＳＮＲ低下が発生するサブキャリアのうちの少なくとも１つのサブキャリアであり、調整中サブキャリアの識別子に対応する変調次数情報および電力情報は、調整中サブキャリアのＳＮＲに従って計算を通じて受信端によって取得されるので、光送信信号のサブキャリアにおいて、低下が発生するサブキャリアに対応する変調次数情報および電力情報は、トリマー要求メッセージを使用することによって調整され、それによりシステムパフォーマンスを高める。
【００７６】
送信端側での通信方法の実施形態は、下記で説明する。図５を参照すると、本発明の実施形態の通信方法のもう１つの実施形態は、以下のステップを含む。
【００７７】
５０１：送信端は、受信端によって送信されたトリマー要求メッセージを受信する。
【００７８】
トリマー要求メッセージは、調整中サブキャリアに対応する変調次数情報および電力情報を含む。トリマー要求メッセージについては、図３に示される実施形態におけるトリマー要求メッセージの説明が参照されてもよく、詳細については、本明細書において再度説明しない。
【００７９】
５０２：送信端は、実効時点を決定して、実効時点を受信端に送信する。
【００８０】
この実施形態において、送信端により、実効時点を決定するステップは、
送信端により、事前設定済み実効時点計算ルールに従って実効時点を決定するステップを含むことがある。
【００８１】
事前設定済み実効時点計算ルールについては、図３に示される実施形態が参照されてもよく、詳細については、本明細書において再度説明しない。
【００８２】
本発明の一部の実施形態において、実効時点を受信端に送信するステップは、送信端により、トリマー応答メッセージを受信端に送信するステップであって、トリマー応答メッセージは実効時点を含むステップを含むことがある。
【００８３】
トリマー応答メッセージについてもまた、図３に示される実施形態が参照されてもよく、詳細については、本明細書において再度説明しない。
【００８４】
５０３：送信端は、調整中サブキャリアに対応する変調次数情報および電力情報に従って調整中サブキャリアに変調および電力割り振りを実行する。
【００８５】
５０４：送信端は、変調および電力割り振り後にサブキャリアを実効時点において受信端に送信する。
【００８６】
本発明のこの実施形態において、送信端は、受信端によって送信されたトリマー要求メッセージを受信し、トリマー要求メッセージは、調整中サブキャリアに対応する変調次数情報および電力情報を含み、送信端は、実効時点を受信端に送信して、調整中サブキャリアに対応する変調次数情報および電力情報に従って実効時点において調整中サブキャリアに変調および電力割り振りを実行し、変調および電力割り振り後にサブキャリアを受信端に送信する。本発明のこの実施形態において、トリマー要求メッセージでは、調整中サブキャリアはＳＮＲ低下が発生するサブキャリアのうちの少なくとも１つのサブキャリアであり、調整中サブキャリアの識別子に対応する変調次数情報および電力情報は、調整中サブキャリアのＳＮＲに従って計算を通じて受信端によって取得されるので、光送信信号のサブキャリアの、低下が発生するサブキャリアに対応する変調次数情報および電力情報は、トリマー要求メッセージを使用することによって調整され、それによりシステムパフォーマンスを高める。
【００８７】
本発明の実施形態における受信端の実施形態は、下記で説明する。
【００８８】
図６を参照すると、本発明の実施形態における受信端６００の実施形態は、
システムビット誤り率が事前設定されたしきい値よりも高いこと、および光信号において、ＳＮＲ低下が発生するサブキャリアの量があらかじめ定められた数値域を超えること、という条件のうちの少なくとも１つが満たされる場合、調整中サブキャリアのＳＮＲに従って、調整中サブキャリアに対応する変調次数情報および電力情報を決定するように構成された決定ユニット６０１であって、調整中サブキャリアは、ＳＮＲ低下が発生するサブキャリア内の少なくとも１つのサブキャリアである、決定ユニット６０１と、
トリマー要求メッセージを送信端に送信するように構成された送信ユニット６０２であって、トリマー要求メッセージは、調整中サブキャリアに対応する変調次数情報および電力情報を含む、送信ユニット６０２と、
送信端によって送信された実効時点を受信するように構成された受信ユニット６０３とを含み、
受信ユニット６０３は、調整中サブキャリアに対応する復調次数を使用することによって実効時点においてサブキャリアを受信するようにさらに構成され、調整中サブキャリアに対応する復調次数は、調整中サブキャリアに対応する変調次数に対応する。
【００８９】
本発明のこの実施形態において、システムビット誤り率が事前設定されたしきい値よりも高いこと、および光信号において、ＳＮＲ低下が発生するサブキャリアの量があらかじめ定められた数値域を超えること、という条件のうちの少なくとも１つが満たされる場合、決定ユニット６０１は、調整中サブキャリアのＳＮＲに従って、調整中サブキャリアに対応する変調次数情報および電力情報を決定し、送信ユニット６０２は、トリマー要求メッセージを送信端に送信し、トリマー要求メッセージは、調整中サブキャリアに対応する変調次数情報および電力情報を含み、受信ユニット６０３は、送信端によって送信された実効時点を受信し、調整中サブキャリアに対応する復調次数を使用することによって実効時点においてサブキャリアを受信する。本発明のこの実施形態において、トリマー要求メッセージでは、調整中サブキャリアはＳＮＲ低下が発生するサブキャリアのうちの少なくとも１つのサブキャリアであり、調整中サブキャリアの識別子に対応する変調次数情報および電力情報は、調整中サブキャリアのＳＮＲに従って計算を通じて受信端によって取得されるので、光送信信号のサブキャリアにおいて、低下が発生するサブキャリアに対応する変調次数情報および電力情報は、トリマー要求メッセージを使用することによって調整され、それによりシステムパフォーマンスを高める。
【００９０】
本発明の一部の実施形態において、トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを示すために使用され、ビットマッピングパラメータは、ビットとシンボルとの間の対応であり、現行の調整中サブキャリアに対応する変調次数を示すために使用され、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【００９１】
本発明の一部の実施形態において、受信ユニットは、送信端によって送信されたトリマー応答メッセージを受信するように特に構成され、トリマー応答メッセージは実効時点を含む。
【００９２】
本発明の一部の実施形態において、トリマー応答メッセージは、応答フラグビットをさらに含み、応答フラグビットは、送信端が、調整中サブキャリアに対応する変調次数情報および電力情報に従って調整中サブキャリアに変調および電力割り振りを実行するかを指示するために使用される。
【００９３】
本発明の実施形態の受信端は、ユニット機能エンティティの観点から上記で説明されており、本発明の実施形態の受信端は、ハードウェア処理の観点から後段において説明する。図７を参照すると、本発明の実施形態の受信端は、送信機７０１、受信機７０２、およびプロセッサ７０３（１つまたは複数の送信機７０１、受信機７０２、およびプロセッサ７０３があってもよい）を含む。
【００９４】
本発明のこの実施形態に含まれる受信端は、図７に示されるコンポーネントよりも多いか少ないコンポーネントを含むことがあるか、２つ以上のコンポーネントが組み合わされてもよいか、またはコンポーネントの構成もしくは設定が異なっていてもよく、コンポーネントは、ハードウェア、ソフトウェア、または１つもしくは複数の信号処理および／もしくは特殊用途向け集積回路を含むハードウェアもしくはソフトウェアの組合せで実施されてもよい。
【００９５】
プロセッサ７０３は、以下の操作を実行するように構成される。
システムビット誤り率が事前設定されたしきい値よりも高いこと、および光信号の、ＳＮＲ低下が発生するサブキャリアの量があらかじめ定められた数値域を超えること、という条件のうちの少なくとも１つが満たされる場合、調整中サブキャリアのＳＮＲに従って、調整中サブキャリアに対応する変調次数情報および電力情報を決定する操作であって、調整中サブキャリアは、ＳＮＲ低下が発生するサブキャリア内の少なくとも１つのサブキャリアである。
【００９６】
プロセッサ７０１は、以下の操作を実行するように構成される。
トリマー要求メッセージを送信端に送信する操作であって、トリマー要求メッセージは、調整中サブキャリアに対応する変調次数情報および電力情報を含む。
【００９７】
受信機７０２は、以下の操作を実行するように構成される。
送信端によって送信された実効時点を受信する操作と、
調整中サブキャリアに対応する復調次数を使用することによって実効時点においてサブキャリアを受信する操作であって、調整中サブキャリアに対応する復調次数は、調整中サブキャリアに対応する変調次数に対応する。
【００９８】
本発明の一部の実施形態において、トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを指示するために使用され、ビットマッピングパラメータは、ビットとシンボルとの間の対応であり、現行の調整中サブキャリアに対応する変調次数を示すために使用され、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【００９９】
本発明の一部の実施形態において、受信機は、以下の操作を実行するように特に構成される。
送信端によって送信されたトリマー応答メッセージを受信する操作であって、トリマー応答メッセージは実効時点を含む。
【０１００】
本発明の一部の実施形態において、トリマー応答メッセージは、応答フラグビットをさらに含み、応答フラグビットは、送信端が、調整中サブキャリアに対応する変調次数情報および電力情報に従って調整中サブキャリアに変調および電力割り振りを実行するかを指示するために使用される。
【０１０１】
本発明の実施形態における送信端の実施形態は、下記で説明する。図８を参照すると、本発明の実施形態における送信端８００の実施形態は、
受信端によって送信されたトリマー要求メッセージを受信するように構成された受信ユニット８０１であって、トリマー要求メッセージは、調整中サブキャリアに対応する変調次数情報および電力情報を含む受信ユニット８０１と、
実効時点を決定するように構成された決定ユニット８０２と、
決定ユニットによって決定された実効時点を受信端に送信するように構成された送信ユニット８０３と、
調整中サブキャリアに対応する変調次数情報および電力情報に従って調整中サブキャリアに変調および電力割り振りを実行するように構成された変調および電力割り振りユニット８０４とを含み、
送信ユニット８０３は、変調および電力割り振り後にサブキャリアを実効時点において受信端に送信するようにさらに構成される。
【０１０２】
本発明のこの実施形態において、受信ユニット８０１は、受信端によって送信されたトリマー要求メッセージを受信し、トリマー要求メッセージは、調整中サブキャリアに対応する変調次数情報および電力情報を含み、決定ユニット８０２は、実効時点を決定し、送信ユニット８０３は、実効時点を受信端に送信し、変調および電力割り振りユニット８０４は、調整中サブキャリアに対応する変調次数情報および電力情報に従って実効時点において調整中サブキャリアに変調および電力割り振りを実行し、送信ユニット８０３は、変調および電力割り振り後にサブキャリアを受信端に送信する。本発明のこの実施形態において、トリマー要求メッセージでは、調整中サブキャリアはＳＮＲ低下が発生するサブキャリアのうちの少なくとも１つのサブキャリアであり、調整中サブキャリアの識別子に対応する変調次数情報および電力情報は、調整中サブキャリアのＳＮＲに従って計算を通じて受信端によって取得されるので、光送信信号のサブキャリアにおいて、低下が発生するサブキャリアに対応する変調次数情報および電力情報は、トリマー要求メッセージを使用することによって調整され、それによりシステムパフォーマンスを高める。
【０１０３】
本発明の一部の実施形態において、トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを示すために使用され、ビットマッピングパラメータは、ビットとシンボルとの間の対応であり、現行の調整中サブキャリアに対応する変調次数を示すために使用され、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【０１０４】
本発明の一部の実施形態において、決定ユニット８０２は、事前設定済み実効時点計算ルールに従って実効時点を決定するように特に構成され、
事前設定済み実効時点計算ルールは、
実効時点として、トリマー応答メッセージを送信する現時点の後の事前設定済み期間である時点を決定するか、または送信端の現行の送信中ターゲットデータに必要とされる事前取得済みのターゲット期間に従って、実効時点として、トリマー応答メッセージを送信する現時点の後のターゲット期間である時点を決定することである。
【０１０５】
本発明の一部の実施形態において、送信ユニット８０３は、トリマー応答メッセージを受信端に送信するように特に構成され、トリマー応答メッセージは実効時点を含む。
【０１０６】
本発明の一部の実施形態において、トリマー応答メッセージは、応答フラグビットをさらに含み、応答フラグビットは、送信端が、調整中サブキャリアに対応する変調次数情報および電力情報に従って調整中サブキャリアに変調および電力割り振りを実行するかを指示するために使用される。
【０１０７】
本発明の実施形態の送信端は、ユニット機能エンティティの観点から上記で説明されており、本発明の実施形態の送信端は、ハードウェア処理の観点から後段において説明する。図９を参照すると、本発明の実施形態の送信端は、送信機９０１、受信機９０２、およびプロセッサ９０３（１つまたは複数の送信機９０１、受信機９０２、およびプロセッサ９０３があってもよい）を含む。
【０１０８】
本発明のこの実施形態に含まれる送信端は、図９に示されるコンポーネントよりも多いか少ないコンポーネントを含むことがあるか、２つ以上のコンポーネントが組み合わされてもよいか、またはコンポーネントの構成もしくは設定が異なっていてもよく、コンポーネントは、ハードウェア、ソフトウェア、または１つもしくは複数の信号処理および／もしくは特殊用途向け集積回路を含むハードウェアもしくはソフトウェアの組合せで実施されてもよい。
【０１０９】
受信機９０２は、以下の操作を実行するように構成される。
受信端によって送信されたトリマー要求メッセージを受信する操作であって、トリマー要求メッセージは、調整中サブキャリアに対応する変調次数情報および電力情報を含む。
【０１１０】
プロセッサ９０３は、以下の操作を実行するように構成される。
実効時点を決定する操作。
【０１１１】
送信機９０１は、以下の操作を実行するように構成される。
実効時点を受信端に送信する操作。
【０１１２】
プロセッサ９０３は、以下の操作を実行するようにさらに構成される。
調整中サブキャリアに対応する変調次数情報および電力情報に従って調整中サブキャリアに変調および電力割り振りを実行する操作。
【０１１３】
送信機９０１は、以下の操作を実行するようにさらに構成される。
変調および電力割り振り後にサブキャリアを実効時点において受信端に送信する操作。
【０１１４】
本発明の一部の実施形態において、トリマー要求メッセージは、調整中サブキャリアのサブキャリアインデックス、ならびに調整中サブキャリアのサブキャリアインデックスに対応する変調次数情報および電力情報を含み、
調整中サブキャリアのサブキャリアインデックスに対応する変調次数情報および電力情報は、ビットマッピングパラメータおよび電力割り振りパラメータを含み、
サブキャリアインデックスは、現行の調整中サブキャリアを示すために使用され、ビットマッピングパラメータは、ビットとシンボルとの間の対応であり、現行の調整中サブキャリアに対応する変調次数を示すために使用され、電力割り振りパラメータは、現行の調整中サブキャリアによって使用される電力情報を示すために使用されて、電力情報は、調整後の現行の調整中サブキャリアの送信電力であるか、または事前設定されている合計送信電力に対する調整後の現行の調整中サブキャリアの送信電力の比率である。
【０１１５】
本発明の一部の実施形態において、プロセッサ９０３は、以下の操作を実行するように特に構成される。
事前設定済み実効時点計算ルールに従って実効時点を決定する操作であって、
事前設定済み実効時点計算ルールは、
実効時点としてトリマー応答メッセージを送信する現時点の後の事前設定済み期間である時点を決定するか、または送信端の現行の送信中ターゲットデータに必要とされる事前取得済みのターゲット期間に従って、実効時点としてトリマー応答メッセージを送信する現時点の後のターゲット期間である時点を決定することである。
【０１１６】
本発明の一部の実施形態において、送信機９０３は、以下の操作を実行するように特に構成される。
トリマー応答メッセージを受信端に送信する操作であって、トリマー応答メッセージは実効時点を含む。
【０１１７】
本発明の一部の実施形態において、トリマー応答メッセージは、応答フラグビットをさらに含み、応答フラグビットは、送信端が、調整中サブキャリアに対応する変調次数情報および電力情報に従って調整中サブキャリアに変調および電力割り振りを実行するかを指示するために使用される。
【０１１８】
本発明の実施形態は、受信端および送信端を含むＯＦＤＭシステムをさらに提供し、送信端は、前述の実施形態のいずれか１つにおいて説明されている送信端であり、受信端は、前述の実施形態のいずれか１つにおいて説明されている受信端である。
【０１１９】
簡便および簡潔な説明を目的として、前述のシステム、装置、およびユニットの詳細な機能プロセスに関しては、前述の方法の実施形態における対応するプロセスが参照されうるので、詳細は本明細書では再度説明しないことが、当業者には明確に理解され得るであろう。
【０１２０】
本願において提供されるいくつかの実施形態において、開示されるシステム、装置、および方法が他の方法で実施されうることを理解されたい。たとえば、説明した装置の実施形態は、例示的なものに過ぎない。たとえば、ユニット部は、論理機能部に過ぎず、実際の実施態様において他の部分であってもよい。たとえば、複数のユニットまたはコンポーネントは、別のシステムに複合もしくは統合されてもよいか、または一部の特徴が無視されるか、もしくは実行されなくてもよい。加えて、表示されるかまたは説明される相互結合もしくは直接結合または通信接続は、一部のインターフェイスを使用することによって実施されてもよい。装置またはユニット間の間接結合または通信接続は、電子的、機械的、または他の形態で実施されてもよい。
【０１２１】
別個の部品として説明されるユニットは、物理的に別個でも、別個でなくてもよく、ユニットとして表示される部品は、物理的なユニットであってもなくてもよく、１つの位置に配置されてもよいか、または複数のネットワークユニット上に分散されてもよい。ユニットの一部または全部は、実施形態の解決策の目的を達成するための実際の必要に応じて選択されてもよい。
【０１２２】
さらに、本発明の実施形態の機能ユニットは、１つの処理ユニットに統合されてもよいか、またはユニットの各々が物理的に独立して存在してもよいか、または２つ以上のユニットが１つのユニットに統合される。統合されたユニットは、ハードウェアの形態で実施されてもよいか、またはソフトウェア機能ユニットの形態で実施されてもよい。
【０１２３】
統合されたユニットがソフトウェア機能ユニットの形態で実施され、独立した製品として販売または使用される場合、統合されたユニットは、コンピュータ可読ストレージ媒体に格納されてもよい。そのような理解に基づいて、基本的に本発明の技術的解決策、または従来技術に寄与する部分、または技術的解決策の全部もしくは一部は、ソフトウェア製品の形態で実施されてもよい。コンピュータソフトウェア製品は、ストレージ媒体に格納され、コンピュータデバイス（パーソナルコンピュータ、サーバ、またはネットワークデバイスなどであってもよい）に本発明の実施形態において説明される方法のステップの全部または一部を実行するよう指示するためのいくつかの命令を含む。前述のストレージ媒体は、ＵＳＢフラッシュドライブ、取り外し可能ハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクのような、プログラムコードを格納することができる任意の媒体を含む。
【０１２４】
前述の実施形態は、本発明の技術的解決策を説明することを意図されているに過ぎず、本発明を限定するものではない。本発明は、前述の実施形態を参照して詳細に説明されるが、当業者であれば、本発明の実施形態の技術的解決策の精神および範囲を逸脱することなく、前述の実施形態において説明される技術的解決策になお変更を加え得ること、またはその一部の技術的特徴に等価の置き換えを行ない得ることを、理解するはずである。
【図１】
0006262817.tif 000004
【図２】
0006262817.tif 000005
【図３】
0006262817.tif 000006
【図３−１】
0006262817.tif 000007
【図３−２】
0006262817.tif 000008
【図４】
0006262817.tif 000009
【図５】
0006262817.tif 000010
【図６】
0006262817.tif 000011
【図７】
0006262817.tif 000012
【図８】
0006262817.tif 000013
【図９】
0006262817.tif 000014